(57)【要約】      （修正有）【課題】メガネフレーム本体とテンプルをねじを使用せずに連結し、メガネフレーム本体とテンプルとを堅固に結合するメガネフレームのテンプルねじ無し連結構造を提供する。【解決手段】メガネフレーム本体１０、２つの接続ブロック２０、２つの弾性部材３０及び２つのテンプル４０を備える。メガネフレーム本体１０の左右両端に設けた接続端間には、間隙がそれぞれ形成され、接続端の前縁開口部には、２つの係止ピンが上下に対称に設けられる。接続端には、間隙を挟むように上下に係止孔がそれぞれ形成され、接続端の内側にストッパがそれぞれ形成される。接続ブロック２０は、メガネフレーム本体１０の接続端を嵌入する嵌合溝を中央に有し、嵌合溝の上下端に形成された２つのＴ字状柱体２２の両側に、係合溝２３がそれぞれ設けられる。係合溝２３にメガネフレーム本体１０の係止ピンを係止する。【選択図】図１
0003182334.tif 000002
【実用新案登録請求の範囲】
【請求項１】
メガネフレーム本体、２つの接続ブロック、２つの弾性部材及び２つのテンプルを備えたメガネフレームのメガネフレーム本体とテンプルとのねじ無し連結構造であって、
前記メガネフレーム本体の左右両端に設けた接続端間には、間隙がそれぞれ形成され、前記接続端の前縁開口部には、２つの係止ピンが上下に対称に設けられ、前記接続端には、前記間隙を挟むように上下に係止孔がそれぞれ形成され、前記接続端の内側にストッパがそれぞれ形成され、
前記接続ブロックは、前記メガネフレーム本体の前記接続端を嵌入する嵌合溝を中央に有し、前記嵌合溝の上下端に形成された２つのＴ字状柱体の両側に、係合溝がそれぞれ設けられ、前記係合溝に前記メガネフレーム本体の前記係止ピンを係止し、
前記弾性部材は、前記メガネフレーム本体の前記接続端の２つの前記係止孔中に位置決めする２つの弾性ブロックを有し、
前記テンプルの前端は、三つ又形状に形成され、中央部分が弾片に形成され、上下両端がそれぞれ弧状の鈎部に形成され、前記鈎部は、前記メガネフレーム本体の前記接続ブロックの上下に設けられた２つの柱体上にそれぞれ掛設され、前記鈎部の前縁は、前記メガネフレーム本体の前記接続端の前記ストッパに当接されるストッパ片を有することを特徴とするメガネフレームのテンプルねじ無し連結構造。
【請求項２】
前記弾性部材は、平面視でΩ状を呈していることを特徴とする請求項１に記載のメガネフレームのテンプルねじ無し連結構造。
【考案の詳細な説明】
【技術分野】
【０００１】
本考案は、メガネフレームのテンプルねじ無し連結構造に関するものであり、さらに詳しくは、組み立てる際、ねじを使用する必要がないメガネフレームのメガネフレーム本体とテンプルとのねじ無し連結構造に関するものである。
【背景技術】
【０００２】
一般のメガネフレームは、レンズを支持するリムの両側にテンプルがそれぞれ取り付けられているため、収納及び携帯に便利であり、テンプルは、枢着されたねじを支点として中央に向けて畳むことができるが、テンプルを頻繁に畳む場合、ねじが緩んでメガネフレーム本体とテンプルとを堅固に連結することができなくなる虞がある。
【０００３】
特許第４８６９８９７号公報（以下、「特許文献１」という。）には、メガネフレームのテンプルとヨロイとを相対的に回動自在に組み立てる方法であって、メガネフレームはテンプルとの連結部に設けられて、テンプルの軸線方向に移動可能な移動部材と、移動部材とテンプルとの間に設けられて、移動部材をテンプルの軸線方向に付勢する付勢部材を備えたメガネフレームの連結部材の組立て方法が記載されているが、テンプルの回動部にはねじ孔が形成されて挿通されたねじが用いられている。
【０００４】
また、特許第３４９６１０８号公報（以下、「特許文献２」という。）にも、メガネフレームのツル継手構造が記載されているが、回動部には軸ねじが用いられており、特許文献１及び特許文献２には、ねじを用いない構造については開示も示唆するところがない。
【０００５】
【特許文献１】特許第４８６９８９７号公報
【特許文献２】特許第３４９６１０８号公報
【考案の概要】
【考案が解決しようとする課題】
【０００６】
従って、本考案の課題は、従来のメガネフレームがねじを枢着部材として用いる欠点を改良し、メガネフレームのメガネフレーム本体とテンプルとがねじを使用せずに堅固に連結可能なメガネフレームのテンプルねじ無し連結構造を提供することにある。
【課題を解決するための手段】
【０００７】
そこで、本考案者は、前記の本考案の課題を解決するため鋭意検討を重ねた結果、後述するように、メガネフレーム本体の接続端と構造とテンプルの前端部の構造を特定すると共に接続ブロックを設けることにより、前記課題を解決できることに着目し、本考案に想到するに至った。
かくして、上記課題を解決するために、本考案によれば、メガネフレーム本体、２つの接続ブロック、２つの弾性部材及び２つのテンプルを備えたメガネフレームのメガネフレーム本体とテンプルのねじ無し連結構造であって、
前記メガネフレーム本体の左右両端に設けた接続端間には、間隙がそれぞれ形成され、前記接続端の前縁開口部には、２つの係止ピンが上下に対称に設けられ、前記接続端には、前記間隙を挟むように上下に係止孔がそれぞれ形成され、前記接続端の内側にストッパがそれぞれ形成され、
前記接続ブロックは、前記メガネフレーム本体の前記接続端を嵌入する嵌合溝を中央に有し、前記嵌合溝の上下端に形成された２つのＴ字状柱体の両側に、係合溝がそれぞれ設けられ、前記係合溝に前記メガネフレーム本体の前記係止ピンを係止し、前記弾性部材は、前記メガネフレーム本体の前記接続端の２つの前記係止孔中に位置決めする２つの弾性ブロックを有し、
前記テンプルの前端は、三つ又形状に形成され、中央部分が弾片に形成され、上下両端がそれぞれ弧状の鈎部に形成され、前記鈎部は、前記メガネフレーム本体の前記接続ブロックの上下に設けられた２つの柱体上にそれぞれ掛設され、前記鈎部の前縁は、前記メガネフレーム本体の前記接続端の前記ストッパに当接されるストッパ片を有することを特徴とするメガネフレームのテンプルねじ無し連結構造が提供される。
【０００８】
前記弾性部材は、平面視でΩ状を呈していることが好ましい。
【考案の効果】
【０００９】
本考案は、前記の通りの構成からなり、メガネフレーム本体とテンプルとの連結端にねじを使用せずに、接続ブロック、弾性部材等の簡素な部材を組み合わせるだけで、メガネフレーム本体とテンプルを堅固に連結することができると共に、テンプルの回動動作も弾片の弾性回復力を利用することができるので、円滑である。従って、従来問題とされたねじのゆるみ及びはずれ等を解決することが出きる。
【図面の簡単な説明】
【００１０】
【図１】図１は、本考案の一実施形態に係るメガネフレームのテンプルねじ無し連結構造を示す斜視図である。
【図２】図２は、本考案の一実施形態に係るメガネフレームのテンプルのねじ無し連結構造を示す分解斜視図である。
【図３】図３は、図１の部分拡大図である。
【図４】図４は、テンプルを畳んだときの状態を示す部分拡大図である。
【図５】図５は、本考案の一実施形態に係るメガネフレームのテンプルのねじ無し連結構造を示す平面図である。
【図６】図６は、図５の部分拡大図である。
【考案を実施するための形態】
【００１１】
以下、本考案に係るメガネフレームとテンプルの連結構造の実施形態について図面に基づいて説明する。なお、これによって本考案が限定されるものではない。
【００１２】
図１〜図６を参照する。図１〜図６に示すように、本考案の一実施形態に係るメガネフレームのテンプルねじ無し連結構造は、少なくともメガネフレーム本体１０、２つの接続ブロック２０、２つの弾性部材３０及び２つのテンプル４０から構成される。メガネフレーム本体１０の左右両端に設けられた接続端１１間には、間隙１１１が横向きにそれぞれ設けられている。間隙１１１の前縁開口部には、２つの係止ピン１２が上下対称に設けられ、接続端１１は、前側上下に凹凸状に形成された構造により構成され、２つの接続端１１の上下端には、弾性部材３０を係合させる係止孔１１２がそれぞれ設けられ、２つの接続端１１の内側にストッパ１３がそれぞれ設けられている。
【００１３】
上述の接続ブロック２０は、断面がＩ字状のブロックであり、メガネフレーム本体１０とテンプル４０とを連結して一体化し、中央の嵌合溝２１をメガネフレーム本体１０の２つの接続端１１に嵌入し、嵌合溝２１の上下端に設けた２つのＴ字状柱体２２の両側に、縦向きの係合溝２３がそれぞれ形成されている。左右２つの係合溝２３中には、接続端１１の２つの係止ピン１２が係合される（上下構造が同じである）。弾性部材３０は、平面視でΩ状を呈し、メガネフレーム本体１０の接続端１１の２つの係止孔１１２に２つの弾性ブロック３１を嵌入して位置決めし、接続端１１の４つの係止ピン１２を接続ブロック２０の４つの係合溝２３へ位置決めさせる。
【００１４】
２つのテンプル４０の前端は、三つ又形状に形成され、中央部分が直線形状の弾片４１に形成され、上下両端がそれぞれ弧状の鈎部４２に形成される。鈎部４２の前縁にはストッパ片４２１が形成されている。テンプル４０の上下２つの鈎部４２は、接続ブロック２０の上下２つの柱体２２にそれぞれ掛設され、中央の弾片４１が嵌合溝２１に挿設されてメガネフレーム本体１０の２つの接続端１１に接合され、テンプル４０の２つのストッパ片４２１がメガネフレーム本体１０の接続端１１のストッパ１３に当接される。
【００１５】
図４を参照する。図４に示すように、メガネを収納したり携帯したりするのに便利なように、２つのテンプル４０をメガネフレーム本体１０の中心に向けて折り曲げ、テンプル４０の２つの鈎部４２は、接続ブロック２０の柱体２２を中心として揺動させると、メガネフレーム本体１０の２つの接続端１１によりテンプル４０の弾片４１が外方に開くため、テンプル４０を折り曲げて収納することができる。メガネフレームの２つのテンプル４０を図１に示すように使用可能な状態に回復させる場合、２つのテンプル４０を外方へ折り曲げるだけで、弾片４１の弾性回復力により、２つのテンプル４０が２つの鈎部４２により接続ブロック２０の柱体２２を中心として揺動し、２つのテンプル４０が元の位置に復位する。
【００１６】
上述したことから分かるように、本考案のメガネのフレーム及びテンプルのねじ無し連結構造は、メガネフレーム本体とテンプルとの連結端に、ねじを使用せずに、接続ブロック、弾性部材などの簡単な部品を組み合わせるだけでメガネフレーム本体とテンプルとを堅固に組み合わせることができる。そのため、ねじを使用した場合に生じる問題が無い。
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１    メガネフレーム
１０  メガネフレーム本体
１１  接続端
１２  係止ピン
１３  ストッパ
２０  接続ブロック
２１  嵌合溝
２２  柱体
２３  係合溝
３０  弾性部材
３１  弾性ブロック
４０  テンプル
４１  弾片
４２  鈎部
１１１  間隙
１１２  係止孔
４２１  ストッパ片
【図１】
0003182334.tif 000003
【図２】
0003182334.tif 000004
【図３】
0003182334.tif 000005
【図４】
0003182334.tif 000006
【図５】
0003182334.tif 000007
【図６】
0003182334.tif 000008